(57)【要約】【課題】座席の肘掛け部に設けられ、カップ又はカップホルダを支持すると共に照明により着座者にカップ等の位置を視認させるカップ照明装置及びカップホルダ付トレイを提供する。【解決手段】本カップ照明装置１は、カップ又はカップホルダを収容するために少なくとも表層部７４を上下に貫いて形成されているホルダ孔７６と、基部７１と表層部７４との間に介装され、ホルダ孔７６の内周面に露出する導光体１１と、基部７１と表層部７４との間の着座者側に配設され、導光体１１の側面１６に光を照射する発光部２１と、を備えている。発光部２１を点灯させると、導光体１１の内周面１３から光が放射されてホルダ孔７６の内周面７７を照らし、着座者にホルダ孔７６の位置を視認させることができる。【選択図】図１
2018095052.tif 000002
【特許請求の範囲】
【請求項１】
座席の肘掛けに設けられ、カップ又は透光性を有するカップホルダを支持すると共に着座者にカップの位置を視認させるカップ照明装置であって、
前記肘掛けは、基部と前記基部上に設けられた表層部を備えており、
前記カップ又は前記カップホルダを収容するために少なくとも前記表層部を上下に貫いて形成されているホルダ孔と、
前記基部と前記表層部との間に介装され、前記ホルダ孔の内周面に露出する導光体と、
前記基部と前記表層部との間の前記着座者側に配設され、前記導光体に光を照射する発光部と、
を備えることを特徴とするカップ照明装置。
【請求項２】
前記導光体は、前記ホルダ孔の内周面に露出する面が上方に向けて拡がるテーパ形状に形成されている請求項１記載のカップ照明装置。
【請求項３】
前記導光体の上方の前記ホルダ孔の内周面には、遮光性のリングが周設されている請求項１又は２に記載のカップ照明装置。
【請求項４】
前記ホルダ孔は、透光性を有するトレイに形成されたカップホルダを収容して前記トレイを支持する請求項１乃至３のいずれかに記載のカップ照明装置。
【請求項５】
前記導光体は前記ホルダ孔の内周面に沿って上方に延出するカップ受部を備える請求項１乃至３のいずれかに記載のカップ照明装置。
【請求項６】
請求項１乃至５のいずれかに記載のカップ照明装置に装着して用いられるカップホルダ付トレイであって、
下方に突出し前記ホルダ孔に挿入するカップホルダが形成されており、
透光性を有し、周縁の表面に漏光部が形成されていることを特徴とするカップホルダ付トレイ。
【発明の詳細な説明】
【技術分野】
【０００１】
本発明は、カップ照明装置及びカップホルダ付トレイに関する。詳しくは、座席の肘掛け部に設けられ、カップ又はカップホルダを支持すると共に照明により着座者にカップ等の位置を視認させるカップ照明装置及びカップホルダ付トレイに関する。
【背景技術】
【０００２】
劇場、映画館等において、座席の肘掛けに、飲料等のカップやトレイに設けられたカップホルダを挿入することにより、これらを保持するホルダが備えられていることがある。肘掛けに設けられた円筒形のカップホルダに、飲食物を載置するための専用のトレイがセットされる場合もある。例えば、トレイの下方に突出する取付軸を設けると共に、肘掛けに備えられたカップホルダの底面に丸孔を設け、取付軸を丸孔に嵌挿することによってトレイをカップホルダに着脱可能且つ回動可能に取り付けるトレイ装置がある（特許文献１を参照）。
また、自動車のキャビネット等に備えられるカップホルダについて、飲料カップを迷うことなくホルダ孔にセットすることができるようにしたものがある。例えば、引き出し式のカップホルダに線状の発光手段と光源を備え、発光手段を通してカップホルダ前面の引き出し表示部及びホルダ部を照光することにより、暗い室内でも視認性を良好にし、カップホルダを引き出した後も飲料容器を迷うことなくホルダ穴に入れられるようにしたカップホルダがある（特許文献２を参照）。
【先行技術文献】
【特許文献】
【０００３】
【特許文献１】特開平１１−３４２０４２号公報
【特許文献２】特開２００３−１８２４３９号公報
【発明の概要】
【発明が解決しようとする課題】
【０００４】
従来、飲料カップや飲食物を載置したトレイを保持するために座席の肘掛け部に設けられるホルダ部は、底部に肘掛けの心材（基材）と締結され飲料カップ等を支持する支持部が備えられて構成される場合が多かった。また、通常はホルダ部に照明手段は備えられていない。しかし、劇場や映画館等においては、穴構造のホルダ部は暗くなり、ホルダ部にトレイを装着したり飲料カップ等を置いたりする際には手探りを要する。
そこで、着座者がカップ等の位置を視認できるようにホルダ部に照明を設けるとしても、発せられる光が直接に着座者の目に入らないようにすることが求められる。また、発せられる光が直接に周囲に漏れないようにすることが求められる。例えば、特許文献２に開示された光源及び発光手段を備えるカップホルダにおいては、光源の光が導光されてカップホルダの上面に発光手段が露出するため、着座書がカップホルダを見ると光源の光を直視することになり、観賞等の妨げになるという問題がある。
また、トレイをホルダ部にセットすると、トレイが通路側に張り出すこととなり、暗い中では通行者がトレイに気づかないためにトレイを引っかけてしまう場合があり、その対策も必要となる。
【０００５】
本発明は、上記現状に鑑みてなされたものであり、座席の肘掛け部に設けられ、カップ又はカップホルダを支持すると共に照明により着座者にカップ等の位置を視認させるカップ照明装置及びカップホルダ付トレイを提供することを目的とする。
【課題を解決するための手段】
【０００６】
上記問題を解決するために、請求項１に記載の発明は、座席の肘掛けに設けられ、カップ又は透光性を有するカップホルダを支持すると共に着座者にカップの位置を視認させるカップ照明装置であって、前記肘掛けは、基部と前記基部上に設けられた表層部を備えており、前記カップ又は前記カップホルダを収容するために少なくとも前記表層部を上下に貫いて形成されているホルダ孔と、前記基部と前記表層部との間に介装され、前記ホルダ孔の内周面に露出する導光体と、前記基部と前記表層部との間の前記着座者側に配設され、前記導光体に光を照射する発光部と、を備えることを要旨とする。
請求項２に記載の発明は、請求項１に記載の発明において、前記導光体は、前記ホルダ孔の内周面に露出する面が上方に向けて拡がるテーパ形状に形成されていることを要旨とする。
請求項３に記載の発明は、請求項１又は２に記載の発明において、前記導光体の上方の前記ホルダ孔の内周面には、遮光性のリングが周設されていることを要旨とする。
請求項４に記載の発明は、請求項１乃至３のいずれかに記載の発明において、前記ホルダ孔は、透光性を有するトレイに形成されたカップホルダを収容して前記トレイを支持することを要旨とする。
請求項５に記載の発明は、請求項１乃至４のいずれかに記載の発明において、前記導光体は前記ホルダ孔の内周面に沿って上方に延出するカップ受部を備えることを要旨とする。
請求項６に記載の発明は、請求項１乃至５のいずれかに記載のカップ照明装置に装着して用いられるカップホルダ付トレイであって、下方に突き出し前記ホルダ孔に挿入するカップホルダが形成されており、透光性を有し、周縁の表面に漏光部が形成されていることを要旨とする。
【発明の効果】
【０００７】
本発明のカップ照明装置によれば、前記肘掛けは、基部と基部上に設けられた表層部を備えており、カップ又はカップホルダを収容するために少なくとも表層部を上下に貫いて形成されているホルダ孔と、基部と表層部との間に介装され、ホルダ孔の内周面に露出する導光体と、基部と表層部との間の着座者側に配設され、導光体に光を照射する発光部と、を備えるため、発光部から発せられる光を、ホルダ孔の途中である基部と表層部との間であり着座者が直接視認できない位置から放射することができ、発光部の光が直接に着座者の目に届くことがない。また、光が直接に周囲に漏れないようすることができる。これにより、暗い劇場や映画館等の館内において、着座者はじめ観客の観賞等の妨げとならないようにすることができる。また、導光体からホルダ孔の内周面に放射される光によりカップ等が照らされるため、着座者はカップ等の位置を容易に視認することができる。
前記導光体は、前記ホルダ孔の内周面に露出する面が上方に向けて拡がるテーパ形状に形成されている場合は、ホルダ孔の内周面から出射する光の向きをテーパの面方向（法線方向）となる上向きにすることができ、カップ等の上方部分を照らして、その位置をより明らかに視認させることができる。
前記導光体の上方の前記ホルダ孔の内周面には、遮光性のリングが周設されている場合は、上方への光の漏れをリングにより制限することができる。これにより、より効果的に着座者はじめ観客の観賞等の妨げとならないようにすることができる。
前記ホルダ孔は、透光性を有するトレイに形成されたカップホルダを収容してトレイを支持する場合は、前記導光体から放射された光をトレイ内で導光することができ、トレイの屈曲部等から光が漏れ出るようにすることができる。これにより、トレイの位置を着座者や通行者に効果的に視認させることができる。
前記導光体は前記ホルダ孔の内周面に沿って上方に延出するカップ受部を備える場合は、ホルダ孔にカップ等を直接挿入することができ、そのカップ等の上部を導光体から放射される光によって照明することができる。
【０００８】
本発明のカップホルダ付トレイによれば、上記カップ照明装置に装着して用いられるカップホルダ付トレイであって、下方に突き出し前記ホルダ孔に挿入するカップホルダが形成されており、透光性を有し、周縁の表面に漏光部が形成されているため、前記導光体から放射された光を入射させてカップホルダ付トレイ内に導光し、その漏光部から光が漏れ出すようにすることができ、カップホルダ付トレイの位置を着座者や通行者に視認させることができる。また、カップ照明装置からの照明によりカップホルダ付トレイの美観を高めることが可能になる。
【図面の簡単な説明】
【０００９】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】カップ照明装置の構成を示す平面図である。
【図２】カップ照明装置の側面の構成を示す図１におけるＡ−Ａ断面図である。
【図３】カップ照明装置を設けた座席の外観を示す斜視図である。
【図４】導光体から直接放射される光の方向を示す断面図である。
【図５】カップホルダ付トレイの例を示す側面図である。
【図６】カップ照明装置にカップホルダ付トレイをセットした状態を示す側面の断面図である。
【図７】カップ照明装置にカップホルダ付トレイをセットした状態を示す座席の斜視図である。
【図８】カップ照明装置にカップをセットした状態を示す側面の断面図である。
【発明を実施するための形態】
【００１０】
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１１】
本実施形態に係るカップ照明装置の構成及び構造の例を、図１及び２に表す。また、図３は、そのカップ照明装置を設けた座席の例である。カップ照明装置（１）は、座席（６）の肘掛け（７）に設けられ、カップ又は透光性を有するカップホルダを支持すると共に、照明により着座者にカップの位置を視認させる。
前記肘掛け（７）は、基部（７１）と基部（７１）上に設けられた表層部（７４）を備えており、カップ照明装置（１）は、カップ又はカップホルダを収容するために少なくとも表層部（７４）を上下に貫いて形成されているホルダ孔（７６）と、基部（７１）と表層部（７４）との間に介装され、ホルダ孔（７６）の内周面に露出する導光体（１１）と、基部（７１）と表層部（７４）との間の着座者側に配設され、導光体（１１）の側面（１６）に光を照射する発光部（２１）と、を備えている。
【００１２】
肘掛け（７）は、肘掛け（７）を支える基部（７１）、及び着座者が肘を置くための表層部（７４）を備えて構成されているが、具体的な構造は特に問わない。多くの場合、肘掛け（７）の骨格となる基部（７１）は金属等で形成されている。表層部（７４）の上面には着座者の肘が置かれることになる。
【００１３】
ホルダ孔（７６）は、カップ又はカップホルダを収容するために、少なくとも表層部（７４）を上下に貫いて形成される。ホルダ孔（７６）の形状や大きさは、その中に着座者がカップ又はカップホルダを挿入して自由に出し入れ可能であればよく、特に問わない。また、ホルダ孔（７６）として、表層部（７４）に形成された孔部と同軸につながるように基部（７１）の一定の深さまで穴部が形成されていてもよい。更に、ホルダ孔（７６）は、表層部（７４）及び基部（７１）を上下に貫いて形成されていてもよい。以下においては、ホルダ孔（７６）が表層部（７４）及び基部（７１）を上下に貫いて形成されている場合を例として説明する（図１、２、６、８等参照）。
ホルダ孔（７６）に挿入されたカップ又はカップホルダを保持する構造は特に問わない。例えば、ホルダ孔（７６）の上端でカップ又はカップホルダを支持するようにすることができる。また、ホルダ孔（７６）の周面でカップ又はカップホルダを支持してもよい。更に、基部（７１）の上面又は基部（７１）に設けられた穴部の底面において、カップ又はカップホルダを受けて支持する構造とされてもよい。
【００１４】
導光体（１１）は、基部（７１）と表層部（７４）との間に介装され、ホルダ孔（７６）の内周面に露出している。導光体（１１）はホルダ孔（７６）の内周面の全周に露出していてもよいし、一部露出していてもよい。シボ
基部（７１）と表層部（７４）との境界位置は、通常座席（６）の着座者が直接視認できない位置であり、その位置に設けられる導光体（１１）は、着座者が直接視認できない。
導光体（１１）はアクリル等の透光性樹脂等の材質からなり、発光部（２１）の発する光を導入し、導光体（１１）内で導光される光をホルダ孔（７６）の内周面に露出する面（１３）からホルダ孔（７６）に挿入されたカップ又はカップホルダの外周面に向けて放射するように構成されている。導光体（１１）は、カップ又はカップホルダの全外周面に向けて光を放射するようにしてもよいし、外周面の１部に光を放射するようにしてもよい。
導光体（１１）の形状は特に問わず、例えば、ホルダ孔（７６）と略同径の孔が形成された板状体、ホルダ孔（７６）を環状に囲むように形成された棒状体等によって構成することができる。図１及び２に表された導光体（１１）は、ホルダ孔（７６）の内周面に露出する内周面（１３）と、発光部（２１）から発せられる光を入射する側面（１６）を備えている。導光体（１１）は透光性を有しない基部（７１）と表層部（７４）との間に介装されているため、導光体（１１）から放射される光が基部（７１）又は表層部（７４）を介して上下方向に漏れることを防ぐことができる。
【００１５】
導光体（１１）は、ホルダ孔（７６）の内周面に露出する面（１３）が上方に向けて拡がるテーパ形状に形成することができる（図４参照）。これにより、ホルダ孔（７６）の内周面に放射される光の向きをテーパの面方向（法線方向）となる斜め上向きにすることができ、カップ等の上方部分を照らすようにすることができる。テーパ形状とする範囲は、内周面（１３）の上下方向の全体であってもよいし、上方（表層部（７４）側）の一定の範囲としてもよい。テーパの角度は、放射させる光の方向に応じて設定することができる。放射される光が直接にホルダ孔（７６）の上端を越えない角度とすることが好ましい。尚、放射される光がホルダ孔（７６）の上端を越えるようにしてもよい。
【００１６】
発光部（２１）は、ＬＥＤ等の任意の光源（２３）を備え、その光が導光体（１１）に入射するように構成される。光源（２３）の発する光を導光体（１１）内に導入する構造は特に問わず、例えば、光源（２３）の発光面を導光体（１１）の側面（１６）と対向させ、導光体（１１）に光を照射するようにすることができる。発光部（２１）は透光性を有しない基部（７１）と表層部（７４）との間に介装されているため、光源（２３）の光が基部（７１）又は表層部（７４）を介して上下方向に漏れることはない。
発光部（２１）は、基部（７１）と表層部（７４）との間の、着座者側に配設される。すなわち、発光部（２１）はホルダ孔（７６）よりも肘掛け（７）の根本側に設けることが好ましい。これにより、光源（２３）の発する光が着座者の前方側に向かい、着座者に直接向かわないため、着座者に直視されないようにすることができる。
【００１７】
導光体（１１）の上方のホルダ孔（７６）の内周面には、遮光性のリング（１８）を周設することができる（図２参照）。遮光性のリング（１８）により、ホルダ孔（７６）の上方へ向かう光の漏れを制限することができる。リング（１８）は、金属、木材、合成樹脂等、遮光性を有する任意の材質で形成することができる。
また、導光体（１１）からホルダ孔（７６）の上方へ向かう光を遮断するために、導光体（１１）の内径を表層部（７４）に設けられるホルダ孔（７６）の内径よりも大きくしてもよい。
【００１８】
このようなカップ照明装置（１）には、カップを挿入して保持することができる。カップの材質や形状は特に問わず、紙コップなどの透光性が低い材質であってもよいし、透明な合成樹脂等の透光性が高い材質であってもよく、通常用いられる任意のカップを用いることができる。
カップが使用される場合等には、前記導光体（１１）は、ホルダ孔（７６）の内周面に沿って上方に延出するカップ受部を備えることができる。これによって、挿入されたカップ等の上部を導光体（１１）から放射される光によって照明することができる。
【００１９】
また、カップ照明装置（１）は、透光性を有するカップホルダ付トレイ（４）を保持するようにすることができる。カップホルダ付トレイ（４）は、カップホルダ（４３）が形成された飲食物等のトレイである（図５参照）。カップホルダ付トレイ（４）の材料は特に問わず、例えばポリプロピレン、ポリスチレン等の合成樹脂を用いることができる。
このような場合、前記ホルダ孔（７６）は、透光性を有するカップホルダ（４３）を収容してカップホルダ（４３）を支持することによりカップホルダ付トレイ（４）の支持ができる。カップホルダ（４３）は、ホルダ孔（７６）に挿入され、カップホルダ付トレイ（４）が肘掛け（７）から脱落しないように支持することができればよく、その形状は特に問わない。
【００２０】
具体的には、カップホルダ付トレイ（４）は、下方に突き出しホルダ孔（７６）に挿入するカップホルダ（４３）が形成されており、透光性を有し、周縁の表面に漏光部が形成されている形態とすることができる。また、カップホルダ付トレイ（４）の周縁（枠部分）には、光を外部に放射する漏光部（４５）が形成されている。漏光部（４５）は、シボ加工等、任意の表面処理によって形成することができる。漏光の強さは、漏光部（４５）の粗面の程度（シボの大きさ）等によって調整することができる。尚、漏光を必要としない部分は不透明にされてもよい。
【００２１】
（実施例）
以下、図面を参照しつつ、カップ照明装置１及びカップホルダ付トレイ４の実施例を説明する。
図１は実施例に係るカップ照明装置１を上面視した図であり、図２はそのＡ−Ａ断面を表している。カップ照明装置１は、図３に例示される座席６の肘掛け７に設けられる。座席６は、劇場や映画館等に設置され、その肘掛け７には着座者の飲料カップやトレイを保持することができるようにされる。このような暗い劇場や映画館等の館内においては、着座者が手探りすることなくカップ等を扱うことができ、且つ着座者はじめ観客の観賞等の妨げとならないようにすることが求められる。また、トレイを用いる場合には、トレイが通路側に張り出すこととなるため、暗い中でも通行者がトレイを引っかけないようにすることが必要である。
【００２２】
座席６の肘掛け７は、肘掛け７を支えるための基部７１及び着座者が肘を置くための表層部７４から構成されている。表層部７４は、基部７１の上方及び側方を覆う合成樹脂等で構成されている。肘掛け７に設けられたカップ照明装置１は、カップ等を保持するために、表層部７４と基部７１を上下に貫いて形成されている円筒状のホルダ孔７６と、ホルダ孔７６周辺において基部７１と表層部７４とに挟まれるように配設され、ホルダ孔７６の内周面に露出する導光体１１と、を備える。また、導光体１１の側面１６に対向するように光源２３を備えた発光部２１が設けられており、光源２３の発する光が導光体１１に入射される。導光体１１内を伝搬する光は、その表面から外部に放射される。
発光部２１は、着座者から見てホルダ孔７６の手前側（肘掛け７の根本側）となる基部７１と表層部７４との間に位置する。発光部２１の光源２３にはＬＥＤを使用している。また、発光部２１は、図示しないコントローラに配線されており、適宜オン又はオフにするようにすることができる。
【００２３】
ホルダ孔７６の内周面に露出する導光体１１の面１３は、図４に示すように、上方に向けて拡がる斜面となるテーパ形状となるように形成されている。このため、光は導光体１１からホルダ孔７６内の斜め上方に向けて放射され、挿入されているカップの上部を効果的に照明することができる。また、導光体１１の面１３の傾斜角度は、図４に示されているように、導光体１１からホルダ孔７６の上方に向けて放射される光が、ホルダ孔７６の上端から外部に直接に放射されない角度とされている。
ホルダ孔７６周面の導光体１１の直上にはリング１８が配設されている。リング１８は金属製であり、内周面１３から上方に向けて放射される光の一部を遮光する。
【００２４】
以上のように構成されたカップ照明装置１は、発光部２１の光源２３を点灯させると、導光体１１の内周面１３から光が放射されてホルダ孔７６の内周面７７を照らし、着座者にホルダ孔７６の位置を視認させることができる。発光部２１から発せられる光は、ホルダ孔７６の途中であって着座者が直接視認できない位置から放射されるため、発光部２１の光が直接に着座者の目に届くことがない。また、直接光が周囲に漏れないようにして、和らいだ反射光を視認できるようにすることができる。これにより、暗い劇場や映画館等の館内において、着座者をはじめ観客の観賞等の妨げとならないようにすることができる。また、導光体１１からホルダ孔７６の内周面に放射される光によりカップ等が照らされるため、着座者はカップ等の位置を容易に視認することができる。
【００２５】
カップ照明装置１は、図５に示すようなカップホルダ付トレイ４を保持することができる。カップホルダ付トレイ４は、透光性の合成樹脂、ガラス等、無色又は着色された透明性を有する材料により形成されている。このカップホルダ付トレイ４には、カップ照明装置１のホルダ孔７６に収まる外径のカップホルダ４３が下方に突出するように形成されている。このカップホルダ４３は有底円筒形であり、飲料カップ等を自由に挿入して保持することができるようにされている。
【００２６】
図６及び７は、カップ照明装置１にカップホルダ付トレイ４をセットした状態を表している。導光体１１からホルダ孔７６内に放射された光はカップホルダ付トレイ４に入射され、透光性を有するカップホルダ付トレイ４内を反射しながら全体に導光される。そして、主としてカップホルダ付トレイ４の周縁の枠部分に形成された漏光部４５から外部に放射される。これによって、座席６の前方を通過する通行者は、適宜の明るさでカップホルダ付トレイ４の輪郭を視認することができ、通行者がカップホルダ付トレイ４に接触したり引っかけたりすることを防ぐことができる。
また、カップホルダ付トレイ４内で導光される光は、漏光部４５の他、カップホルダ付トレイ４の角部や厚みの変化点等において外部に放射される。カップホルダ４３の上端部から漏れる光によって、着座者は挿入したカップをより明確に視認することができる。また、着座者はカップホルダ付トレイ４上に設けられた凹凸等を視認することができ、手探りすることなくトレイに載せた飲食物等を手に取ることができる。
【００２７】
図８は、カップ照明装置１のホルダ孔７６にカップ３をセットした状態を表している。カップ３は、紙コップ等の透光性の低いカップであってもよいし、透明な樹脂製カップであってもよい。透光性の低い紙コップ等の場合であっても、図８に示されるようなカップ３の透光を着座者は視認することができる。また、透光性を有するカップの場合には、導光体１１から放射された光がカップ３に入射され、その光がカップ３の上端等から外部に放射されるため、着座者はカップ３を明確に視認することができる。
【００２８】
尚、本発明は上記で詳述した実施形態に限定されず、本発明の請求項に示した範囲で様々な変形又は変更が可能である。例えば、本実施例の導光体１１は、着座者から直視できない位置に設けられているが、これに限られず、一部直視できる位置としてもよい。
【符号の説明】
【００２９】
１；カップ照明装置、１１；導光体、１３；内周面、１６；側面、１８；リング、
２１；発光部、２３；光源、
３；カップ、４；カップホルダ付トレイ、４３；カップホルダ、４５；漏光部、
６；座席、７；肘掛け、７１；基部、７４；表層部、７６；ホルダ孔、７７；内周面。
【図１】
2018095052.tif 000003
【図２】
2018095052.tif 000004
【図３】
2018095052.tif 000005
【図４】
2018095052.tif 000006
【図５】
2018095052.tif 000007
【図６】
2018095052.tif 000008
【図７】
2018095052.tif 000009
【図８】
2018095052.tif 000010